(57)【要約】  コネクタが取り付けられた袋を保持する枠体と、前記袋から流体を吸引し吐出する吸引吐出装置と、を備えた流体提供装置であって、前記枠体は、前記枠体の内周壁から下方に向けて延伸するとともに、前記袋が前記枠体の内側に位置するよう前記コネクタを保持する第１筒部と、前記枠体の外周壁から上方に向けて延伸し、前記第１筒部の中空部に連通する中空部を有する第２筒部と、を備え、前記吸引吐出装置は、前記第２筒部に取り付けられる取り付け部と、押しボタン部と、吐出口と、前記コネクタの貫通孔に挿入され、前記押しボタン部が押し下げられた場合に、前記袋から流体を吸引し前記吐出口から吐出するポンプ部と、を備える流体提供装置。
2017061060.tif 000002
【特許請求の範囲】
【請求項１】
コネクタが取り付けられた袋を保持する枠体と、前記袋から流体を吸引し吐出する吸引吐出装置と、を備えた流体提供装置であって、
前記枠体は、
前記枠体の内周壁から下方に向けて延伸するとともに、前記袋が前記枠体の内側に位置するよう前記コネクタを保持する第１筒部と、
前記枠体の外周壁から上方に向けて延伸し、前記第１筒部の中空部に連通する中空部を有する第２筒部と、を備え、
前記吸引吐出装置は、
前記第２筒部に取り付けられる取り付け部と、
押しボタン部と、
吐出口と、
前記コネクタの貫通孔に挿入され、前記押しボタン部が押し下げられた場合に、前記袋から流体を吸引し前記吐出口から吐出するポンプ部と、を備える流体提供装置。
【請求項２】
前記第２筒部は前記第２筒部の外周壁に第１螺子部を有し、
前記取り付け部は前記取り付け部の内周壁に第２螺子部を有し、
前記取り付け部は前記第１螺子部と前記第２螺子部とが螺合することにより前記第２筒部に取り付けられる、
請求項１に記載の流体提供装置。
【請求項３】
前記コネクタは前記コネクタの外周壁から延伸する延伸部を有し、
前記第１筒部は、
前記延伸部を含むコネクタの一部が通過する開口と、
前記開口を通過して前記第１筒部の中空部に差し込まれた前記延伸部を保持する保持部と、を有する、
請求項１または２に記載の流体提供装置。
【請求項４】
前記袋を備える請求項１から３のいずれか１項に記載の流体提供装置。
【請求項５】
前記ポンプ部の挿入前は前記コネクタの貫通孔を封止し、前記ポンプ部の挿入により前記封止を解除する封止弁を有する請求項１から４のいずれか１項に記載の流体提供装置。
【請求項６】
前記流体は不飽和脂肪酸を含んだ油脂を含有するシャンプーまたはリンスである請求項１から５のいずれか１項に記載の流体提供装置。
【請求項７】
不飽和脂肪酸を含んだ油脂を含有するシャンプーまたはリンスが封入されている袋と、前記袋を保持する枠体と、前記袋から流体を吸引し吐出する吸引吐出装置と、を備える流体提供装置。
【発明の詳細な説明】
【技術分野】
【０００１】
本開示は流体提供装置に関する。
【背景技術】
【０００２】
リフィル容器とこれを保持するホルダーとを備えた包装体が知られている（特許文献１参照）。ホルダーは、正面板と、正面板の上端から水平方向に伸びる天面板と、正面板の下端から伸び、天面板に対向する床面板とを有する。リフィル容器は天面板に保持される。
【先行技術文献】
【特許文献】
【０００３】
【特許文献１】特開２０１５−４２５５３号公報
【発明の概要】
【発明が解決しようとする課題】
【０００４】
しかしながら、上記従来の包装体では、正面板が邪魔になり、包装袋を正面から目視できない虞がある。
【課題を解決するための手段】
【０００５】
上記の課題は、例えば、次の手段により解決することができる。【０００６】
コネクタが取り付けられた袋を保持する枠体と、前記袋から流体を吸引し吐出する吸引吐出装置と、を備えた流体提供装置であって、前記枠体は、前記枠体の内周壁から下方に向けて延伸するとともに、前記袋が前記枠体の内側に位置するよう前記コネクタを保持する第１筒部と、前記枠体の外周壁から上方に向けて延伸し、前記第１筒部の中空部に連通する中空部を有する第２筒部と、を備え、前記吸引吐出装置は、前記第２筒部に取り付けられる取り付け部と、押しボタン部と、吐出口と、前記コネクタの貫通孔に挿入され、前記押しボタン部が押し下げられた場合に、前記袋から流体を吸引し前記吐出口から吐出するポンプ部と、を備える流体提供装置。
【発明の効果】
【０００７】
上記の流体提供装置によれば、正面からでも背面からでも袋を目視することができる使い勝手の良い流体提供装置を提供することができる。
【図面の簡単な説明】
【０００８】
【図１】一実施形態に係る流体提供装置の模式的斜視図である。
【図２】袋の模式的斜視図である。
【図３】枠体の模式的斜視図である。
【図４】枠体の模式的正面図である。
【図５】枠体の模式的背面図である。
【図６】枠体の模式的平面図である。
【図７】枠体の模式的側面図である。
【図８】図３中のＡ−Ａ断面を示す図である。
【図９】図３中のＢ−Ｂ断面を示す図である。
【図１０】枠体の内側を枠体の斜め下から見た図である。
【図１１Ａ】吸引吐出装置の模式的斜視図である。
【図１１Ｂ】図１１Ａ中のＣ−Ｃ断面を部分的に拡大して示す図である。
【図１２】袋を枠体に取り付ける前の様子を示す図である。
【図１３】袋を枠体に取り付けた後の様子を示す図である。
【図１４】取り付け部を枠体に取り付ける前の様子を示す図である。
【図１５】取り付け部を枠体に取り付けた後の様子を示す図である。
【図１６】押しボタン部が押し上げられる様子を示す図である。
【図１７】押しボタン部を押し下げる様子を示す図である。
【発明を実施するための形態】
【０００９】
［実施形態に係る流体提供装置］
図１は一実施形態に係る流体提供装置の模式的斜視図である。図１に示すように、一実施形態に係る流体提供装置１は、コネクタ４０が取り付けられた袋３０と、袋３０を保持する枠体１０と、袋３０から流体を吸引し吐出する吸引吐出装置２０と、を備えている。以下、詳細に説明する。
【００１０】
（袋３０）
図２は袋の模式的斜視図である。まず、図２を参照しつつ、袋３０について説明する。
【００１１】
袋３０には流体が封入されている。流体は、例えば、シャンプー、リンス、洗剤、またはケチャップやマヨネーズなどの調味料などである。流体は、不飽和脂肪酸を含んだ油脂を含有するシャンプーまたはリンスであることが好ましく、特に、不飽和脂肪酸を含んだ油脂の含有量が袋３０に封入される全流体量の１％以上であるシャンプーまたはリンスであることが好ましい。不飽和脂肪酸は酸化しやすいため、これを含んだ油脂を含有するシャンプーまたはリンスは、常に鮮度を保った状態（酸化していない状態）で提供されるよう、短期間で使用し尽くすことができる量（例：業務用であれば２リットル以下、家庭用であれば５００ミリリットル以下）だけ袋３０に封入されていることが好ましい。もっとも、このようにすると、袋３０をこまめに付け替える必要があるが、本実施形態によれば、流体提供装置１の正面からでも背面からでも袋３０を目視することができるため、袋３０に封入されている流体の減り具合を見るために枠体１０を回転させるなどの面倒な作業を利用者に強いることがない。したがって、流体の減り具合を確認する利用者の労力を低減して、利用者による袋３０のこまめな付け替えを促進することができる。なお、不飽和脂肪酸とは不飽和の炭素結合を１つ以上もつ脂肪酸のことをいう。
【００１２】
流体は、例えば、袋３０内の空気をいったん脱気し、袋３０内に空気がまったくあるいは実質的に流入しないように袋３０に封入することが好ましい。これにより、流体の酸化を効果的に防止することができる。なお、後述のとおり、袋３０には使い捨て形式（付け替え形式）の袋が用いられるため、流体の封入は、流体提供装置１あるいは袋３０の出荷前に、工場などにおいて行なわれる。
【００１３】
袋３０は、自立できる形状を有していてもよいし、自立できない形状を有していてもよい。本実施形態によれば、枠体１０により袋３０が保持されるため、自立できない形状であっても、袋３０の姿勢を安定させることができる。
【００１４】
袋３０には使い捨て形式（付け替え形式）の袋が用いられる。本実施形態によれば、正面からでも背面からでも袋３０を目視することができるため、袋３０に封入されている流体の減り具合をひと目で確認して、袋３０を適切なタイミングで付け替えることができる。
【００１５】
図２に示すように、袋３０にはコネクタ４０が取り付けられている。コネクタ４０は袋３０の内部と外部に開口を有する貫通孔４６を備えている。貫通孔４６には吸引吐出装置２０のポンプ部２６が挿入される。コネクタ４０は、袋３０を枠体１０の内側に容易に位置させることができるよう、例えば、袋３０の頂部に取り付けられていることが好ましい。
【００１６】
コネクタ４０は、ポンプ部２６の挿入前は貫通孔４６を封止し、ポンプ部２６の挿入により封止を解除する封止弁５０を有していることが好ましい。このようにすれば、袋３０に封入されている流体の酸化を効果的に防止することができる。封止弁５０は例えば貫通孔４６内や貫通孔４６の開口などに取り付けることができる。封止は、例えば、ポンプ部２６の挿入により封止弁５０が破壊されたり移動したりすることにより解除することができる。なお、本実施形態では、封止弁５０は、ポンプ部２６の挿入前は貫通孔４６の開口（袋３０の内部にある開口）を塞いでいるが、ポンプ部２６の挿入により下方に押され、封止が解除されるよう貫通孔４６の開口（袋３０の内部にある開口）から離間するものとする。
【００１７】
コネクタの貫通孔４６は、ポンプ部２６が貫通孔４６に挿入された状態において、貫通孔４６の内壁とポンプ部２６の外壁との間に隙間がまったく存在しない形状、あるいは実質的に存在しない形状を有していることが好ましい。このようにすれば、ポンプ部２６が貫通孔４６に挿入されている限り、外気が袋３０内にまったく進入しない、あるいは実質的に進入しないものとなる。したがって、袋３０に封入されている流体の量が減ると袋３０がしぼむようになるため、袋３０に残っている流体の量を袋３０の形状変化により確認することができる。また、流体の酸化を効果的に防止することができる。なお、一般に、袋３０の形状が変化すると、袋３０の姿勢が不安定になり、流体を袋３０外へ取り出すことが困難になる虞がある。しかしながら、本実施形態によれば、袋３０の形状が変化しても、袋３０は枠体１０により保持されたままであるため、袋３０内に残る流体を袋３０外へ容易に取り出すことができる。なお、隙間がまったく存在しない、あるいは実質的に存在しない形状とは、例えば、ポンプ部２６（本実施形態ではポンプ部２６が有する被挿入体２６ｂ）が貫通孔４６に嵌合する形状をいう。
【００１８】
コネクタ４０はコネクタ４０の外周壁から延伸する延伸部４８を備えていることが好ましい。このようにすれば、後述のとおり、第１筒部１２によりコネクタ４０を保持することが容易になる。なお、延伸部４８による保持は、例えば、袋３０、袋３０に封入されている流体及びコネクタ４０に働く重力に反して、延伸部４８を上向きに支持することをいう。このようにすれば、当該重力を利用して、袋３０を枠体１０の内側に位置させることができる。
【００１９】
コネクタ４０は、延伸部４８の下方に、延伸部４８とは別の延伸部４９を備えていることが好ましい。このようにすれば、後述のとおり、延伸部４８に保持されている袋３０やコネクタ４０が揺れたり傾いたりなどすることを防止できる。したがって、ポンプ部２６をコネクタ４０の貫通孔４６に正確且つ容易に挿入することができる。
【００２０】
袋３０は、特に限定されるわけではないが、例えば、ポリエチレンやポリエチレンテレフタレートなどから構成される。また、コネクタ４０は、特に限定されるわけではないが、例えば、樹脂材料などから構成される。
【００２１】
（枠体１０）
図３は枠体の模式的斜視図であり、図４は枠体の模式的正面図であり、図５は枠体の模式的背面図であり、図６は枠体の模式的平面図であり、図７は枠体の模式的側面図である。また、図８は図３中のＡ−Ａ断面を示す図であり、図９は図３中のＢ−Ｂ断面を示す図である。さらに、図１０は枠体の内側を枠体の斜め下から見た図である。なお、図７では第１筒部１２を点線により透過的に示している。以下、図３から図１０を参照しつつ、枠体１０について説明する。
【００２２】
図３から図１０に示すように、枠体１０は、枠体１０の内周壁から下方に向けて延伸する第１筒部１２と、枠体１０の外周壁から上方に向けて延伸する第２筒部１４と、を備えている。枠体１０、第１筒部１２、及び第２筒部１４は、例えば、樹脂材料を用いて射出成形により一体成型されている。
【００２３】
枠体１０は、例えば、上下左右に４本のフレーム１０ａ、１０ｂ、１０ｃ、１０ｄを有している。枠体１０の角部は、角張るよう構成されていてもよいし、本実施形態のように丸みを有するよう構成されていてもよい。流体提供装置１は、左右に位置する２本のフレーム１０ｃ、１０ｄのいずれか一方あるいは双方を握持することにより、容易に持ち運ぶことができる。このように、枠体１０を用いることにより、使い勝手の良い流体提供装置を提供することができる。
【００２４】
４本のフレーム１０ａ、１０ｂ、１０ｃ、１０ｄは、射出成形などにより一体的に形成されていてもよいし、個別に形成された後、組み合わされていてもよい。本実施形態では、前者の形式で枠体１０が構成されているものとする。第１筒部１２と第２筒部１４は上側のフレーム１０ａの内周壁と外周壁にそれぞれ設けられる。なお、図７に示すように、左右の２本のフレーム１０ｃ、１０ｄは、平面視において、中央と端部とで異なる厚みを有していることが好ましい。
【００２５】
第１筒部１２と第２筒部１４の外形は、特に限定されず、例えば、円筒状や角筒状などとすることができる。ただし、第２筒部１４の外形は円筒状であることが好ましい。このようにすれば、取り付け部２２を第２筒部１４に対して螺合により接続することが容易になる。
【００２６】
第１筒部１２は袋３０が枠体１０の内側に位置するようコネクタ４０を保持している。このように第１筒部１２がコネクタ４０を保持することにより、袋３０が枠体１０により保持される。
【００２７】
第１筒部１２は、延伸部４８を含むコネクタ４０の一部が通過する開口１２ａと、開口１２ａを通過して第１筒部１２の中空部１２ｃに差し込まれた延伸部４８を保持する保持部１２ｂと、を有することが好ましい。このようにすれば、第１筒部１２によりコネクタ４８を容易に保持することができる。また、第１筒部１２の中空部１２ｃ内にコネクタ４０が有する貫通孔４６の開口が配置される。なお、差し込まれた延伸部４８は保持部１２ｂの上面に当接する。
【００２８】
コネクタ４０が延伸部４８とは別の延伸部４９を有する場合、当該延伸部４９は、開口１２ａを通過することなく、保持部１２ｂの下面に当接することが好ましい。このようにすれば、保持部１２が延伸部４８と延伸部４９とに挟持されるため、袋３０やコネクタ４０が揺れたり傾いたりなどすることを防止できる。したがって、ポンプ部２６をコネクタ４０の貫通孔４６に正確且つ容易に挿入することができる。
【００２９】
第２筒部１４は第１筒部１２の中空部１２ｃに連通する中空部１４ａを有する。第１筒部１２の中空部１２ｃと第２筒部１４の中空部１４ａが連通することにより、枠体１０の外側と内側とに開口を有する１つの貫通孔１６が構成される。なお、コネクタ４０が有する貫通孔４６の開口は、第１筒部１２の中空部１２ｃ内に位置するため、第１筒部１２と第２筒部１４とによる貫通孔１６内に位置することになる。したがって、吸引吐出装置２０のポンプ部２６は、第１筒部１２と第２筒部１４とによる貫通孔１６に挿入されることにより、コネクタ４０の貫通孔４６に挿入されることになる。
【００３０】
第２筒部１４は第２筒部１４の外周壁に第１螺子部１４ｂを有していることが好ましい。このようにすれば、後述するように、取り付け部２２を第２筒部１４に対して螺合により接続することができる。なお、第１螺子部１４ｂは雄ねじにより構成することが好ましい。
【００３１】
（吸引吐出装置２０）
図１１Ａは吸引吐出装置の模式的斜視図であり、図１１Ｂは図１１Ａ中のＣ−Ｃ断面を部分的に拡大して示す図である。図１１Ｂにおいては、理解を容易にするため、各種部材の図示を適宜省略している。図１１Ａ、図１１Ｂに示すように、吸引吐出装置２０は、第２筒部１４に取り付けられる取り付け部２２と、押しボタン部２３と、吐出口２４と、押しボタン部２３が押し下げられた場合に、袋３０から流体を吸引し吐出口２４から吐出するポンプ部２６と、を備えている。以下、図１１Ａ、図１１Ｂを参照しつつ、吸引吐出装置２０について説明する。
【００３２】
取り付け部２２は取り付け部２２の内周壁に第２螺子部２２ａを有していることが好ましい。このようにすれば、取り付け部２２の第２螺子部２２ａを第２筒部１４の第１螺子部１４ｂに螺合させることにより、取り付け部２２を第２筒部１４に容易に取り付けることができる。
【００３３】
コネクタ４０が有する貫通孔４６の開口が第１筒部１２と第２筒部１４とによる貫通孔１６内に位置するため、袋３０を枠体１０に取り付け、貫通孔１６にポンプ部２６を挿入しつつ取り付け部２２を第２筒部１４に取り付けることにより、ポンプ部２６がコネクタ４０の貫通孔４６に挿入される。したがって、ポンプ部２６をコネクタ４０の貫通孔４６に挿入するにあたり、コネクタ４０を指や手などで挟持する必要がない。よって、コネクタ４０を指や手などで挟持する場合よりも僅かな力で、且つ、正確に、ポンプ部２６をコネクタ４０の貫通孔１６に挿入することができる。なお、第２螺子部２２ａは雌ねじにより構成することが好ましい。
【００３４】
取り付け部２２は、第２筒部１４の中空部１４ａを覆う形状や蓋をする形状などを有していることが好ましい。このようにすれば、第２筒部１４の中空部１４ａに塵や埃などが混入することを防止できる。
【００３５】
押しボタン部２３は押しボタン部２３の下端側の外周壁に第３螺子部２３ａを備えていることが好ましく、取り付け部２２は取り付け部２２の上端側の内周壁に第４螺子部２２ｂを備えていることが好ましい。このようにすれば、第３螺子部２３ａと第４螺子部２２ｂとを螺合させることにより、押しボタン部２３を押し下げられた状態に保持することができる。したがって、意図せずに押しボタン部２３が押し下げられ、流体が吐出口２４から吐出されてしまうことを防止することができる。なお、第３螺子部２３ａは雄ねじにより構成することが好ましく、第４螺子部２２ｂは雌ねじにより構成することが好ましい。
【００３６】
ポンプ部２６は、例えば、ポンプ部本体２６ａと、コネクタ４０の貫通孔４６に挿入される中空の被挿入体２６ｂと、吸引口２６ｃと、を備えていることが好ましい。ポンプ部本体２６ａは、吸引口２６ｃから被挿入体２６ｂ内に流体を吸引し、吸引した流体を押しボタン部２３を介して吐出口２４から吐出する。
【００３７】
上述のとおり、ポンプ部２６（被挿入体２６ｂ）は、ポンプ部２６（被挿入体２６ｂ）の外壁とコネクタ４０の貫通孔４６との内壁との間に隙間が生じないあるいは実質的に生じない形状を有していることが好ましく、具体的には、コネクタ４０の貫通孔４６に挿嵌される形状であることが好ましい。
【００３８】
吸引口２６ｃの形成位置は特に限定されない。吸引口２６ｃは、被挿入体２６ｂの側面に形成されていてもよいし、底面に形成されていてもよい。吸引口２６ｃの数も特に限定されない。
【００３９】
ポンプ部２６は、ポンプ部本体２６ａの一部あるいは全部がコネクタ４０の貫通孔４６に挿入されるよう構成されていてもよい。この場合は、ポンプ部２６は被挿入体２６ｂを有さず、吸引口２６ｃはポンプ部本体２６ａに設けられる。そして、袋３０に封入されている流体は、吸引口２６ｃからポンプ部本体２６ａに直接吸引される。
【００４０】
吸引吐出装置２０は、その他、シリンダ、ピストン、押し下げられた押しボタン部２３を押し下げられる前の位置に戻すバネ（図示せず）などを備えている。
【００４１】
取り付け部２２、押しボタン部２３、吐出口２４、及びポンプ部２６などの吸引吐出装置２０を構成する各部には、例えば、樹脂材料を用いて射出成形された樹脂成形品などを用いることができる。
【００４２】
［一実施形態に係る流体提供装置１の使用例］
次に、図１２から図１７を参照しつつ、一実施形態に係る流体提供装置１の使用例について説明する。
【００４３】
まず、図１２、図１３に示すように、延伸部４８を含むコネクタ４０の一部を開口１２ａから第１筒部１２の中空部１２ｃに差し込み、第１筒部１２の保持部１２ｂにより、差し込まれたコネクタ４０の一部のうちの延伸部４８を保持する。これにより、コネクタ４０が第１筒部１２により保持され、袋３０が枠体１０により保持される。
【００４４】
次に、図１４、図１５に示すように、取り付け部２２を回転させることにより、第２筒部１４の第１螺子部１４ｂと取り付け部２２の第２螺子部２２ａとを螺合させ、取り付け部２２を第２筒部１４に取り付ける。これにより、吸引吐出装置２０のポンプ部２６（本実施形態ではポンプ部２６が有する被挿入体２６ｂ）がコネクタ４０に挿入される。
【００４５】
次に、図１６に示すように、押しボタン部２３を回転させることにより、取り付け部２２と押しボタン部２３の螺合を解除する。これにより、吸引吐出装置２０のバネ（図示せず）が作動して、押しボタン部２３が押し上げられる。
【００４６】
次に、図１７に示すように、押しボタン部２３を押し下げる。これにより、ポンプ部２６が働き、袋３０に封入されている流体が吸引され吐出口２４から吐出される。
【００４７】
以上説明したように、実施形態に係る流体提供装置１によれば、袋３０が枠体１０により保持されるため、正面からでも背面からでも袋３０を目視することができる。また、流体提供装置１は、枠体１０を構成する左右の２本のフレーム１０ｃ、１０ｄのいずれか一方あるいは双方を握持することにより、容易に持ち運ぶことができる。したがって、実施形態に係る流体提供装置１によれば、正面からでも背面からでも袋３０を目視することができる使い勝手の良い流体提供装置を提供することができる。
【００４８】
以上、実施形態について説明したが、これらの説明は特許請求の範囲に記載された構成を何ら限定するものではない。
【符号の説明】
【００４９】
１      流体提供装置
１０    枠体
１０ａ、１０ｂ、１０ｃ、１０ｄ    フレーム
１２    第１筒部
１２ａ  開口
１２ｂ  保持部
１２ｃ  中空部
１４    第２筒部
１４ａ  中空部
１４ｂ  第１螺子部
１６    貫通孔
２０    吸引吐出装置
２２    取り付け部
２２ａ  第２螺子部
２２ｂ  第４螺子部
２３    押しボタン部
２３ａ  第３螺子部
２４    吐出口
２６    ポンプ部
２６ａ  ポンプ部本体
２６ｂ  被挿入体
２６ｃ  吸引口
３０    袋
４０    コネクタ
４６    貫通孔
４８    延伸部
４９    延伸部
５０    封止弁
【図１】
2017061060.tif 000003
【図２】
2017061060.tif 000004
【図３】
2017061060.tif 000005
【図４】
2017061060.tif 000006
【図５】
2017061060.tif 000007
【図６】
2017061060.tif 000008
【図７】
2017061060.tif 000009
【図８】
2017061060.tif 000010
【図９】
2017061060.tif 000011
【図１０】
2017061060.tif 000012
【図１１Ａ】
2017061060.tif 000013
【図１１Ｂ】
2017061060.tif 000014
【図１２】
2017061060.tif 000015
【図１３】
2017061060.tif 000016
【図１４】
2017061060.tif 000017
【図１５】
2017061060.tif 000018
【図１６】
2017061060.tif 000019
【図１７】
2017061060.tif 000020
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
コネクタが取り付けられた袋を保持する枠体と、前記袋から流体を吸引し吐出する吸引吐出装置と、を備えた流体提供装置であって、
前記枠体は、
前記枠体の内周壁から下方に向けて延伸するとともに、前記袋が前記枠体の内側に位置するよう前記コネクタを保持する第１筒部と、
前記枠体の外周壁から上方に向けて延伸し、前記第１筒部の中空部に連通する中空部を有する第２筒部と、を備え、
前記吸引吐出装置は、
前記第２筒部に取り付けられる取り付け部と、
押しボタン部と、
吐出口と、
前記コネクタの貫通孔に挿入され、前記押しボタン部が押し下げられた場合に、前記袋から流体を吸引し前記吐出口から吐出するポンプ部と、を備える流体提供装置。
【請求項２】
前記第２筒部は前記第２筒部の外周壁に第１螺子部を有し、
前記取り付け部は前記取り付け部の内周壁に第２螺子部を有し、
前記取り付け部は前記第１螺子部と前記第２螺子部とが螺合することにより前記第２筒部に取り付けられる、
請求項１に記載の流体提供装置。
【請求項３】
前記コネクタは前記コネクタの外周壁から延伸する延伸部を有し、
前記第１筒部は、
前記延伸部を含むコネクタの一部が通過する開口と、
前記開口を通過して前記第１筒部の中空部に差し込まれた前記延伸部を保持する保持部と、を有する、
請求項１または２に記載の流体提供装置。
【請求項４】
前記袋を備える請求項１から３のいずれか１項に記載の流体提供装置。
【請求項５】
前記コネクタは、前記ポンプ部の挿入前は前記コネクタの貫通孔を封止し、前記ポンプ部の挿入により前記封止を解除する封止弁を有する請求項１から４のいずれか１項に記載の流体提供装置。
【請求項６】
前記流体は不飽和脂肪酸を含んだ油脂を含有するシャンプーまたはリンスである請求項１から５のいずれか１項に記載の流体提供装置。
【請求項７】
不飽和脂肪酸を含んだ油脂を含有するシャンプーまたはリンスが封入されている袋と、前記袋を保持する枠体と、前記袋から流体を吸引し吐出する吸引吐出装置と、を備える流体提供装置。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
コネクタが取り付けられた袋を保持する枠体と、前記袋から流体を吸引し吐出する吸引吐出装置と、を備えた流体提供装置であって、
前記枠体（前記袋が挿入または投入される中空のキャビティを備えた容器を除く。）は、
４本のフレームを上下左右に有し、
前記枠体の内周壁から下方に向けて延伸するとともに、前記袋が前記枠体の内側に位置するよう前記コネクタを保持する第１筒部と、
前記枠体の外周壁から上方に向けて延伸し、前記第１筒部の中空部に連通する中空部を有する第２筒部と、を備え、
前記４本のフレームのうち上側のフレームの内周壁と外周壁に前記第１筒部と前記第２筒部をそれぞれ備え、
前記４本のフレーム、前記第１筒部、及び前記第２筒部は、樹脂材料を用いて射出成形により一体成型されており、
前記吸引吐出装置は、
前記第２筒部に取り付けられる取り付け部と、
押しボタン部と、
吐出口と、
前記コネクタの貫通孔に挿入され、前記押しボタン部が押し下げられた場合に、前記袋から流体を吸引し前記吐出口から吐出するポンプ部と、を備える流体提供装置。
【請求項２】
前記第２筒部は前記第２筒部の外周壁に第１螺子部を有し、
前記取り付け部は前記取り付け部の内周壁に第２螺子部を有し、
前記取り付け部は前記第１螺子部と前記第２螺子部とが螺合することにより前記第２筒部に取り付けられる、
請求項１に記載の流体提供装置。
【請求項３】
前記コネクタは前記コネクタの外周壁から延伸する延伸部を有し、
前記第１筒部は、
前記延伸部を含むコネクタの一部が通過する開口と、
前記開口を通過して前記第１筒部の中空部に差し込まれた前記延伸部を保持する保持部と、を有する、
請求項１または２に記載の流体提供装置。
【請求項４】
前記袋を備える請求項１から３のいずれか１項に記載の流体提供装置。
【請求項５】
前記コネクタは、前記ポンプ部の挿入前は前記コネクタの貫通孔を封止し、前記ポンプ部の挿入により前記封止を解除する封止弁を有する請求項１から４のいずれか１項に記載の流体提供装置。
【請求項６】
前記流体は不飽和脂肪酸を含んだ油脂を含有するシャンプーまたはリンスである請求項１から５のいずれか１項に記載の流体提供装置。
【請求項７】
不飽和脂肪酸を含んだ油脂を含有するシャンプーまたはリンスが封入されている袋と、４本のフレームを上下左右に備えた前記袋を保持する枠体（前記袋が挿入または投入される中空のキャビティを備えた容器を除く。）と、前記袋から流体を吸引し吐出する吸引吐出装置と、を備える流体提供装置。
【国際調査報告】
2017061060.tif 000021
2017061060.tif 000022
2017061060.tif 000023
2017061060.tif 000024